(57)【要約】  【課題】  手摺取付面へ壁紙等の表面化粧シートを貼着する際の作業性が向上し、表面化粧シートの貼着作業を簡単に行うことができると共に、手摺を確実に固定することができる手摺用ブラケットおよびこれを用いる手摺の取付方法を提供することである。  【解決手段】  取付座１３と、この取付座１３に立設されたアーム部１４と、このアーム部１４の上端に設けられた手摺取付部１５とが一体に形成された手摺用ブラケット１１であって、前記取付座１３は、手摺取付面に螺入された第１のネジ１７ａ，１７ｂに着脱自在に係合して手摺を仮固定する係合部１２ａ、１２ａと、第２のネジ９を挿通させて手摺を固定するための取付孔１０とを有することを特徴とする手摺用ブラケット１１である。前記取付座１３は、複数の係合部と、少なくとも１つの取付孔とを有する。【選択図】  図２
2005325626.tif 000002
【特許請求の範囲】
【請求項１】
取付座と、この取付座に立設されたアーム部と、このアーム部の上端に設けられた手摺取付部とが一体に形成された手摺用ブラケットであって、
前記取付座は、手摺取付面に螺入された第１のネジに着脱自在に係合して手摺を仮固定する係合部と、第２のネジを挿通させて手摺を固定するための取付孔とを有することを特徴とする手摺用ブラケット。
【請求項２】
前記取付座は、複数の係合部と、少なくとも１つの取付孔とを有する請求項１記載の手摺用ブラケット。
【請求項３】
前記係合部が、前記取付座の端面に設けたＵ字形切り欠き部である請求項１または２記載の手摺用ブラケット。
【請求項４】
前記取付座は略Ｔ字形で構成されており、この略Ｔ字形取付座における両側片の下部端面にそれぞれＵ字形切り欠き部が形成され、かつ略Ｔ字形取付座の下部に取付孔が形成されている請求項３記載の手摺用ブラケット。
【請求項５】
前記係合部が、前記ネジの頭部が挿通するネジ挿通孔とこのネジ挿通孔に連通したネジ係合孔とからなる請求項１または２記載の手摺用ブラケット。
【請求項６】
前記取付座には、この取付座を被覆するカバーが着脱自在に取り付けられている請求項１〜５のいずれかに記載の手摺用ブラケット。
【請求項７】
エンドブラケットである請求項１または２記載の手摺用ブラケット。
【請求項８】
前記エンドブラケットの取付座には、第１のネジの頭部が挿通するネジ挿通孔とこのネジ挿通孔に連通したネジ係合孔とからなる係合部が設けられている請求項７記載の手摺用ブラケット。
【請求項９】
前記係合部は、手摺の軸心と平行で取付座の座面中央部を通る直線に対して略左右対称形となる少なくとも一対の係合部からなる請求項８記載の手摺用ブラケット。
【請求項１０】
第２のネジを挿通させて手摺を固定するための取付孔が設けられた請求項８または９記載の手摺用ブラケット。
【請求項１１】
前記少なくとも一対の係合部は、一方が第１のネジに着脱自在に係合して手摺を仮固定する係合部であり、他方が第２のネジを挿通させて手摺を固定するための取付孔である請求項９記載の手摺用ブラケット。
【請求項１２】
第１のネジを手摺取付面の所定位置に螺入する工程と、手摺取付部に手摺を取付けた請求項１記載の手摺用ブラケットを、このブラケットの取付座に設けた係合部を前記第１のネジに係合させて手摺を仮固定する工程と、前記手摺用ブラケットを前記第１のネジから取り外し、表面化粧シートを前記手摺取付面上に貼着する工程と、前記表面化粧シート貼着後、前記手摺用ブラケットを、この手摺用ブラケットの係合部を前記第１のネジに係合させて再び手摺を仮固定し、ついで第２のネジを取付孔に挿通させ、前記手摺取付面に固定する工程と、前記取付座を被覆するカバーを前記取付座に取り付ける工程とを含むことを特徴とする手摺の取付方法。
【発明の詳細な説明】
【技術分野】
【０００１】
本発明は、一般家庭や公共施設などの階段、廊下、玄関等に設置される手摺を固定するための手摺用ブラケットおよびこれを用いる手摺の取付方法に関する。
【背景技術】
【０００２】
一般家庭や公共施設などの階段、廊下、玄関等には、手摺が多く取付られている。通常この手摺は、手摺用ブラケットを用いて壁面に固定される。この手摺用ブラケットとしては、一般に、壁面に固定するための取付座と、この取付座に立設されたアーム部と、このアーム部の上端に設けられた手摺取付部とを備えたものが使用されている。そして、取付座に設けられたネジ取付孔に挿通した固定ネジを壁面に螺入させてブラケットを固定している。また、手摺はブラケットの手摺取付部にネジなどによって取付られる。
【０００３】
上記した手摺の取付は、新築の住宅等では一般に下記のように行われる。
（ａ）手摺をブラケットの手摺取付部にネジなどによって取付し、
（ｂ）ブラケットの取付座に設けられた複数のネジ取付孔にネジを挿通させて、壁面（壁紙は貼着されていない）に螺入させて手摺を固定し、
（ｃ）建築基準法に基づく検査を受け、
（ｄ）ブラケットの取付座に挿通された複数本のネジを外して、手摺を壁面から取り外し、
（ｅ）化粧用の壁紙（表面化粧シート）を壁面に貼着し、
（ｆ）再度、ブラケットの取付座に設けられたネジ挿通孔に挿通させた複数本の固定ネジを壁面の同じ位置に螺入させて、手摺を固定する。
【０００４】
建築基準法では、階段の設計として片側には手摺を取付けることが義務付けられているため、上記検査は欠くべからざるものである。しかしながら、手摺を取付ける作業者（大工）と、壁紙を貼着する作業者とは通常異なっているため、上記した（ｄ）〜（ｆ）の一連の作業を、壁紙を貼着する作業者が実施するのは困難である。したがって、壁紙施工後に、手摺を取付けた作業者が再び手摺を取付けるのが望ましいが、壁紙施工後まで手摺を取付けた作業者を拘束することになり、作業効率が悪く、コストアップの原因になる。また、同一箇所でネジの取付け・取外しを何度も行うと、取付け強度が低下する。
【０００５】
一方、手摺の着脱が簡単に行える手摺用ブラケットが種々提案されており、例えば、特許文献１には、壁面に固定されたベースにブラケットがネジにより固定された着脱式手摺が記載されている。また特許文献２には、壁面に位置決め部材を取り付け、この位置決め部材を壁紙から露出させ、ついで、この位置決め部材に手摺用ブラケットが取り付けられた手摺ブラケットの取付構造が記載されている。
【０００６】
しかしながら、特許文献１および２に記載されている着脱式手摺および手摺ブラケットの取付構造では、着脱時にはネジの取り付け・取り外しを行わなければならないため、作業が煩雑で多くの時間を要する。また、ブラケットの他にベースまたは位置決め部材が必要であり、壁面にこれらの部材を取り付け、この上に壁紙を貼着する場合には、壁紙を所定の形状に切り抜く必要がある。このため、これらの部材の面積が大きい場合には、壁紙を切り抜く面積も大きくなり、手間がかかるため、壁紙貼着の作業効率が悪くなる。
【０００７】
一方、手摺の安全性は重要であり、手摺が誤って外れて落下する等の事故があってはならない。したがって、手摺は壁面に確実に固定されていなければならない。
【０００８】
【特許文献１】特開２００２−２７６１１５号公報
【特許文献２】特開２００２−８１１８３号公報
【発明の開示】
【発明が解決しようとする課題】
【０００９】
本発明の課題は、手摺取付面へ壁紙等の表面化粧シートを貼着する際の作業性が向上し、表面化粧シートの貼着作業を簡単に行うことができると共に、手摺を確実に固定することができる手摺用ブラケットおよびこれを用いる手摺の取付方法を提供することである。
【課題を解決するための手段】
【００１０】
本発明者らは、上記課題を解決すべく鋭意検討を重ねた結果、手摺用ブラケットの取付座が、手摺取付面に螺入された第１のネジに着脱自在に係合して手摺を仮固定するための係合部と、第２のネジを挿通させて手摺を固定する取付孔とを有する場合には、あらかじめ係合部にて手摺を仮固定し、表面化粧シート貼着時には、仮固定した手摺を取外し、表面化粧シート貼着後、取付孔を利用して手摺を固定するので、表面化粧シートの貼着が簡単にでき、しかも手摺を確実に固定することができるという新たな事実を見出し、本発明を完成させるに至った。
【００１１】
すなわち、本発明の手摺用ブラケットは、以下の構成からなる。
（１）取付座と、この取付座に立設されたアーム部と、このアーム部の上端に設けられた手摺取付部とが一体に形成された手摺用ブラケットであって、前記取付座は、手摺取付面に螺入された第１のネジに着脱自在に係合して手摺を仮固定する係合部と、第２のネジを挿通させて手摺を固定するための取付孔とを有することを特徴とする手摺用ブラケット。
【００１２】
（２）前記取付座は、複数の係合部と、少なくとも１つの取付孔とを有する前記（１）記載の手摺用ブラケット。
【００１３】
（３）前記係合部が、前記取付座の端面に設けたＵ字形切り欠き部である前記（１）または（２）記載の手摺用ブラケット。
【００１４】
（４）前記取付座は略Ｔ字形で構成されており、この略Ｔ字形取付座における両側片の下部端面にそれぞれＵ字形切り欠き部が形成され、かつ略Ｔ字形取付座の下部に取付孔が形成されている前記（３）記載の手摺用ブラケット。
【００１５】
（５）前記係合部が、前記ネジの頭部が挿通するネジ挿通孔とこのネジ挿通孔に連通したネジ係合孔とからなる前記（１）または（２）記載の手摺用ブラケット。
【００１６】
（６）前記取付座には、この取付座を被覆するカバーが着脱自在に取り付けられている前記（１）〜（５）のいずれかに記載の手摺用ブラケット。
【００１７】
（７）エンドブラケットである前記（１）または（２）記載の手摺用ブラケット。
【００１８】
（８）前記エンドブラケットの取付座には、第一のネジの頭部が挿通するネジ挿通孔とこのネジ挿通孔に連通したネジ係合孔とからなる係合部が設けられている前記（７）記載の手摺用ブラケット。
【００１９】
（９）前記係合部は、手摺の軸心と平行で取付座の座面中央部を通る直線に対して略左右対称形となる少なくとも一対の係合部からなる前記（８）記載の手摺用ブラケット。
【００２０】
（１０）第２のネジを挿通させて手摺を固定するための取付孔が設けられた前記（８）または（９）記載の手摺用ブラケット。
【００２１】
（１１）前記少なくとも一対の係合部は、一方が第１のネジに着脱自在に係合して手摺を仮固定する係合部であり、他方が第２のネジを挿通させて手摺を固定するための取付孔である前記（９）記載の手摺用ブラケット。
【００２２】
また、本発明の手摺の取付方法は、第１のネジを手摺取付面の所定位置に螺入する工程と、手摺取付部に手摺を取付けた前記（１）記載の手摺用ブラケットを、このブラケットの取付座に設けた係合部を前記第１のネジに係合させて手摺を仮固定する工程と、前記手摺用ブラケットを前記第１のネジから取り外し、表面化粧シートを前記手摺取付面上に貼着する工程と、前記表面化粧シート貼着後、前記手摺用ブラケットを、この手摺用ブラケットの係合部を前記第１のネジに係合させて再び手摺を仮固定し、ついで第２のネジを取付孔に挿通させ、前記手摺取付面に固定する工程と、前記取付座を被覆するカバーを前記取付座に取り付ける工程とを含むことを特徴とする手摺の取付方法。
【発明の効果】
【００２３】
上記（１）によれば、取付座を特定の形状とすることで、建築基準法に基づく検査を受けるために手摺を仮固定する際には、容易に手摺の取付ができ、また表面化粧シートを手摺取付面に貼着する際には、手摺を容易に取外すことができ、かつブラケット取付用のベース部分を切り抜く手間がいらないので、表面化粧シートの貼着作業が簡単になり、作業効率が向上すると共に、表面化粧シート貼着後は、手摺取付孔を利用して手摺を固定するので、手摺を確実に固定することができるという効果がある。
【００２４】
上記（２）によれば、仮固定の際には、複数のネジで手摺取付面に取付座を仮固定するので、手摺を安定して仮固定することができる。
【００２５】
上記（３）〜（４）によれば、Ｕ字形切り欠き部の開口を通じて、複数の係合部を第１のネジに係合させ、あるいは係合を解除するので、手摺りの着脱を容易に行うことができる。
【００２６】
上記（５）の構成によっても、手摺の着脱を容易に行うことができる。
【００２７】
上記（６）によれば、このようなカバーが取り付けられることによって取付座の係合部、孔およびネジを覆い隠すことができるので、美観を向上させることができる。
【００２８】
上記（７）〜（８）によれば、手摺用ブラケットがエンドブラケットであっても、手摺を容易に取付け・取外すことができる。
【００２９】
上記（９）によれば、同じ形状のエンドブラケットを手摺の両端部に使用することができるので、製造コストを削減することができる。
【００３０】
上記（１０）によれば、係合部に加えて取付孔にも固定ネジを挿通させて固定することで、手摺を確実に固定することができる。
【００３１】
上記（１１）によれば、前記少なくとも一対の係合部は、第１のネジに着脱自在に係合して手摺を仮固定する係合部と、第２のネジを挿通させて手摺を固定するための取付孔とを兼用することができる。
【００３２】
本発明の手摺の取付方法によれば、建築基準法に基づく検査を受けるために手摺を仮固定する際には、容易に手摺の取付ができ、また表面化粧シートを手摺取付面に貼着する際には、手摺をブラケットごと簡単にかつ迅速に取外すことができるため、簡単に表面化粧シートを貼着することができ、さらにこの表面化粧シートが貼着された手摺取付面に手摺を固定する際には、手摺取付面に第１のネジが固定された状態で行うことができるので、簡単にかつ迅速に取付けることができると共に、仮固定用の係合部に加えて、取付孔に第２のネジを挿通して固定することで、手摺を確実に固定することができるという効果がある。しかも、表面化粧シートを手摺取付面に貼着する際には、前記取付面に螺入された第１のネジの上に直接表面化粧シートを貼り付け、表面化粧シートから第１のネジを突き破るだけでよく、表面化粧シート貼着の作業性が向上するという効果がある。
【発明を実施するための最良の形態】
【００３３】
以下、本発明にかかる手摺用ブラケットおよびこれを用いる手摺の取付方法について図面を参照して詳細に説明する。図１（ａ）は、本発明の一実施形態にかかる手摺用ブラケットを示す平面図であり、図１（ｂ）はその側面図である。また、図２（ａ）は図１（ａ），（ｂ）に示した手摺用ブラケットを示す正面図であり、図２（ｂ）はその背面図である。
【００３４】
図１（ａ），（ｂ）および図２（ａ），（ｂ）に示すように、この手摺用ブラケット１１は、壁面１８（手摺取付面）に螺入された第１のネジ１７ａ，１７ｂに着脱自在に係合する係合部１２ａ，１２ｂと、第２のネジ９（固定ネジ）を挿通させる取付孔１０とを有する取付座１３を備えている。
【００３５】
取付座１３は図２に示すように略Ｔ字形で形成されている。前記係合部１２ａ，１２ｂは、取付座１３両側片の下部端面に設けたＵ字形切り欠き部であり、各切り欠き部の開口は同方向に揃うように形成されている。係合部１２ａ，１２ｂの開口近傍の両側部には、第１のネジ１７ａ，１７ｂの抜け止め用の突起である突条１６，１６がそれぞれ形成されている。なお、この突条１６，１６が形成されているときは、前記ネジが、所望の係合位置からずれたり、切り欠き部の開口を通じて外れたりするのを確実に防止することができるので、安全性や安定性がより向上する。
【００３６】
また、取付座１３には、第２のネジ９を挿通させる取付孔１０が形成されている。さらに、ブラケット１１の取付座１３の中央付近には隆起部１３ａが形成され、隆起部１３ａの一端から取付座１３の端部方向に扇状隆起部１３ｂが延設されている。また、ブラケット１１は、取付座１３の隆起部１３ａから立設されたアーム部１４と、このアーム部１４の上端に設けられた手摺取付部１５とを備えている。これらの取付座１３、アーム部１４および手摺取付部１５は鋳造などによって一体に形成されている。
【００３７】
隆起部１３ａおよび扇状隆起部１３ｂの周縁には、図５に示すカバー２１のアーム挿通孔２２およびＶ字形状の開口部２３が嵌合する段差１３ｄ，１３ｅが設けられている。また、取付座１３の裏面の周縁には、カバー２１の被係止縁２５が着脱自在に係止可能な係止縁１３ｃが設けられている。
【００３８】
ブラケット１１の材質としては特に限定されないが、強度の面から、例えばアルミニウム、鉄、ステンレス、銅、真鍮などの金属を使用するのが好ましい。
【００３９】
上記したブラケット１１を用いて、手摺２９は壁面１８に以下のようにして取り付けられる。図３（ａ），（ｂ）および図４（ｃ），（ｄ）はブラケット１１を壁面１８に取付ける際の手順を示す概略図である。
【００４０】
まず複数のブラケット１１を手摺２９の所定位置に２つのネジ取付孔１５ａ（図１（ａ）参照）を利用してネジで取り付ける。次に、図３（ａ）に示すように、壁面１８上にブラケット１１を取り付ける位置の位置決めを行い、この取り付け位置に２つの第１のネジ１７ａ，１７ｂを螺入する。この時、この第１のネジ１７ａ，１７ｂは完全に螺入せず、第１のネジ１７ａ，１７ｂの頭部から取付座１３の厚さ分を残して螺入する。
【００４１】
ついで、ブラケット１１を図３（ａ）の矢印Ａの方向へ下降させ、係合部１２ａ，１２ｂの開口から第１のネジ１７ａ，１７ｂを挿入し、第１のネジ１７ａ，１７ｂを係合部１２ａ，１２ｂと係合させ、手摺２９を壁面１８に仮固定する（図３（ｂ）に示す状態）。この状態で建築基準法に基づく検査を受ける。なお、必要に応じて第１のネジ１７ａ，１７ｂを締め付けてもよい。
【００４２】
図３（ｂ）に示す状態で取り付けられた手摺２９を、壁紙を壁面１８に貼着するために取り外す際には、ブラケット１１を壁面１８に沿って上方（図３（ａ）の矢印Ｂの方向）へ持ち上げ、ネジの頭部を突条１６を乗り越えて離脱させ、係合部１２ａ，１２ｂの開口から第１のネジ１７ａ，１７ｂを抜き出せばよい。なお、係合部１２ａ，１２ｂにおいて第１のネジ１７ａ，１７ｂを強固に締め付けている場合や、固定ネジの頭部が突条１６から離脱しにくい場合には、第１のネジ１７ａ，１７ｂを緩めてもよい。
【００４３】
ついで、図４（ｃ）に示すように、２つの第１のネジ１７ａ，１７ｂが螺入された壁面１８に壁紙８（表面化粧シート）を貼着する。なお、壁紙８は、２つの第１のネジ１７ａ，１７ｂの上に直接貼着し、ついで、壁紙８から第１のネジ１７ａ，１７ｂを突き破ればよい。
【００４４】
再度、ブラケット１１を壁紙８が貼着された壁面１８に取付けるには、上記した仮固定の手順と同様にして、ブラケット１１を壁紙８が貼着された壁面１８に固定する。なお、前記したように、必要に応じて第１のネジ１７ａ，１７ｂを締め付けてもよい。ついで、図４（ｄ）に示すように、取付孔１０に第２のネジ９を挿通し、この第２のネジ９を締め付けることでブラケット１１を壁紙８が貼着された壁面１８に確実に固定することができる。
【００４５】
図５（ａ）は、ブラケット１１の取付座１３を被覆するカバー２１を示す平面図、図５（ｂ）はその底面図、図５（ｃ）はそのＡ−Ａ断面図である。図５（ａ）〜（ｃ）に示すように、カバー２１は、ブラケット１１のアーム部１４の基端に対応する部分に、アーム部１４の基端が挿通されるアーム挿通孔２２を備え、このアーム挿通孔２２の一端からカバー２１の半径方向に向かって開口幅が次第に広がるＶ字形状の開口部２３が延設され、アーム挿通孔２２とＶ字形状の開口部２３の間に開口幅が狭い括れ部２４が形成されている。
【００４６】
カバー２１の背面側周縁には被係止縁２５が突出するように設けられており、これが取付座１３の係止縁１３ｃに取り外し自在に係止するようになっている。また、アーム挿通孔２２、開口部２３および括れ部２４は、取付座１３の段差１３ｄ、段差１３ｅおよびこれらの間の括れ部分１３ｆに嵌合するようになっている。
【００４７】
このカバー２１を取付座１３の表面に装着するには、開口部２３がアーム１４に接するようにカバー２１を配置し、括れ部２４の開口幅がアーム１４の外径よりも大きくなるまでカバー２１を変形させて押し込むことによりアーム１４をアーム挿通孔２２に挿通させ、ついで被係止縁２５を係止縁１３ｃに係止させればよい。
【００４８】
カバー２１は、例えばポリエチレン、ポリプロピレン、ポリ塩化ビニル、ポリカーボネート、アクリル樹脂およびナイロンなどの樹脂を成形することによって製造することができる。
【００４９】
図６は、本発明の手摺用ブラケットにおける取付座の他の例を示す概略図である。図６では、特に係合部の形状および配置を説明する便宜上、アーム部および手摺取付部は省略している。
【００５０】
図６に示す取付座６１には、２つの係合部６２，６２と、略円形の第２のネジ６７を挿通させる１つの取付孔６６が設けられている。この係合部６２，６２は、第１のネジ６５の頭部が挿通するネジ挿通孔６３，６３と、このネジ挿通孔６３，６３に連通したネジ係合孔６４，６４とからなる。すなわち、ネジ挿通孔６３，６３は、ここに挿通される第１のネジ６５の頭部の外径よりも大きな内径を有しており、ネジ係合孔６４，６４は、前記第１のネジ６５の頭部の外径よりも小さく第１のネジ６５の外径よりも大きな内径を有している。
【００５１】
上記した図６に示す取付座６１を備えた手摺用ブラケットを用いて手摺を壁面に仮固定する場合には、ネジ挿通孔６３に第１のネジ６５の頭部を挿通させ、ついで第１のネジ６５の頭部がネジ係合孔６４の末端に位置するようにブラケットを移動させ、必要に応じて第１のネジを締め付ければよい。
【００５２】
また、ブラケットを取外す場合には、上記とは逆の手順で、取付座６１の係合部６２に取り付けられた第１のネジ６５を緩め、ついでネジ係合孔６４に位置している第１のネジ６５の頭部がネジ挿通孔６３に位置するように手摺用ブラケットを移動させる。ついで、第１のネジ６５の頭部がネジ挿通孔６３から抜き出るように手摺用ブラケットを移動させればよい。
【００５３】
さらに、ブラケットと固定する場合には、上記した仮固定の手順と同様にして、ブラケットを壁面に仮固定し、ついで取付孔６６に第２のネジ６７を挿通させ、締め付けることで、手摺を確実に固定することができる。その他は、前記した実施形態と同じである。
【００５４】
図７は、エンドブラケット１２１，１４１を手摺１３１の両端にそれぞれ取り付けた状態を示す平面図である。また、図８（ａ）はエンドブラケット１２１を示す断面図、図８（ｂ）はその底面図であり、図８（ｃ）はエンドブラケット１４１を示す底面図である。ここで、エンドブラケットとは、手摺を壁面などに固定するために手摺の両端に取り付けられるものをいう。
【００５５】
図８（ａ），（ｂ）に示すように、手摺１３１の右端部に取付けられるエンドブラケット１２１の取付座１２８には、２つの係合部１２２が形成されている。係合部１２２は第１のネジ１２９の頭部が挿通するネジ挿通孔１２２ａと、このネジ挿通孔１２２ａに連通したネジ係合孔１２２ｂとからなる。また、取付座１２８の下方付近には略円形の第２のネジ１３０を挿通させる１つの取付孔１２６が形成されている。
【００５６】
エンドブラケット１２１は、取付座１２８と、この取付座１２８の一端から立設されたアーム部１２４と、このアーム部１２４の上端に設けられた手摺取付部１２５とを備えている。上記の取付座１２８、アーム部１２４および手摺取付部１２５は鋳造などによって一体に形成されている。
【００５７】
エンドブラケット１２１を手摺１３１の右端に取り付ける際には、前記係合部１２２を用いて取付座１２８を壁面１８に取り付ける。ついで、上記係合部１２２に加えて取付孔１２６にも第２のネジ１３０を挿通させ、壁面１８にエンドブラケット１２１を確実に固定する。
【００５８】
手摺１３１は、右端部が手摺取付部１２５の凹部に挿入され、ネジ１５１により固定される。また、図７に示すようにブラケット１２１にプラスチック製などのカバー１３２を装着する際には、カバー１３２の下端に設けられた爪（図示せず）を、取付座１２８に設けられたカバー固定用孔１２７に嵌合させる。
【００５９】
図８（ｃ）に示すように、手摺１３１の左端部に取付けられるエンドブラケット１４１の取付座１４８は、上記したエンドブラケット１２１の取付座１２８と左右対称の構造である。すなわち、エンドブラケット１４１の取付座１４８には、２つの係合部１４２が形成されている。係合部１４２は第１のネジ１４９の頭部が挿通するネジ挿通孔１４２ａと、このネジ挿通孔１４２ａに連通したネジ係合孔１４２ｂとからなる。また、取付座１４８の下方付近には略円形の第２のネジ１５０を挿通させる１つの取付孔１４６が形成されている。
【００６０】
また、エンドブラケット１４１は上記エンドブラケット１２１と同様に取付座１４８と、この取付座１４８の一端から立設されたアーム部１４４と、このアーム部１４４の上端に設けられた手摺取付部１４５とを備えている。
【００６１】
エンドブラケット１４１を手摺１３１の左端に取り付ける場合には、上記したエンドブラケット１２１と同様にして取り付ければよい。ついで、手摺１３１は、左端部が手摺取付部１４５の凹部（図示せず）に挿入され、前記ブラケット１２１と同様にして、ネジ（図示せず）により固定される。また、ブラケット１２１と同様に、ブラケット１４１にプラスチック製などのカバー１３３を装着する際には、カバー１３３の下端に設けられた爪（図示せず）を、取付座１４８に設けられたカバー固定用孔１４７に嵌合させる。
【００６２】
図９（ａ），（ｂ）は、本発明における他のエンドブラケットの取付座を示す概略図である。図９（ａ），（ｂ）では、特に係合部の形状および配置を説明する便宜上、アーム部および手摺取付部は省略している。
【００６３】
図９（ａ）に示すように、取付座１６８には、手摺の軸心と平行で取付座１６８の座面中央部を通る直線Ｌに対して略左右対称形となる係合部１６２および係合部１６３が形成されている。係合部１６２，１６３は第１のネジ１６９の頭部が挿通するネジ挿通孔１６２ａ，１６３ａと、このネジ挿通孔１６２ａ，１６３ａに連通したネジ係合孔１６２ｂ，１６３ｂとからなる。また、取付座１６８の中央付近には略円形の第２のネジを挿通させる１つの取付孔１６６が設けられている。
【００６４】
取付座１６８を備えたエンドブラケットを手摺の一端に取り付ける際には、例えば、ネジ係合孔１６２ｂ，１６２ｂと、第２のネジが挿通される取付孔１６６を用いて取付座１６８を壁面に取り付ける。また、このエンドブラケットを手摺の他端に取り付ける際には、例えば、ネジ係合孔１６３ｂ，１６３ｂと、第２のネジが挿通される取付孔１６６を用いて取付座１６８を壁面に取り付ける。このように、取付座１６８を備えたエンドブラケットは、手摺のどちらの端部にも適用可能である。
【００６５】
図９（ｂ）に示すように、取付座１７８には、手摺の軸心と平行で取付座１７８の座面中央部を通る直線Ｌ’に対して略左右対称形となる係合部１７２および係合部１７３が形成されている。係合部１７２，１７３は第１のネジ１７９の頭部が挿通するネジ挿通孔１７２ａ，１７３ａと、このネジ挿通孔１７２ａ，１７３ａに連通したネジ係合孔１７２ｂ，１７３ｂとからなる。
【００６６】
取付座１７８を備えたエンドブラケットを手摺の一端に取り付ける際には、例えば、ネジ係合孔１７２ｂ，１７２ｂで仮固定し、ついで１７３ｂのいずれか一方で本締めをして取付座１７８を壁面に取り付ける。また、このエンドブラケットを手摺の他端に取り付ける際には、例えば、ネジ係合孔１７３ｂ，１７３ｂで仮固定し、ついで１７２ｂのいずれか一方で本締めをして取付座１７８を壁面に取り付ける。このように、取付座１７８を備えたエンドブラケットは、手摺のどちらの端部にも適用可能である。
【００６７】
なお、上記各実施形態で説明した手摺は、例えば木、金属、プラスチックス等の各種素材から作ることができ、構造も中空物であってもよい。また、手摺の長さや外径は、使用場所に応じて適宜決定すればよい。手摺用ブラケットおよびカバーの大きさは、手摺の長さや外径、要求される強度などに応じて適宜決定すればよい。
【００６８】
取付座に設けられる係合部の個数は特に限定されるものではなく、１〜５個程度、好ましくは２〜３個程度の範囲から任意に選定すればよい。また、取付座に設けられる取付孔の個数は特に限定されるものではなく、１〜３個程度の範囲から任意に選定すればよい。
【図面の簡単な説明】
【００６９】
【図１】（ａ）は本発明の一実施形態にかかる手摺用ブラケットを示す平面図であり、（ｂ）はその側面図である。
【図２】（ａ）は図１（ａ），（ｂ）に示した手摺用ブラケットを示す正面図であり、（ｂ）はその背面図である。
【図３】本発明の手摺用ブラケットの取付方法において、ブラケットの仮固定（取付け・取外し）の手順を示す概略図である。
【図４】本発明の手摺用ブラケットの取付方法において、クロスを壁面に貼着し、ブラケットを取り付ける際の手順を示す概略図である。
【図５】（ａ）は図１および図２で示した手摺用ブラケットの取付座を被覆するカバーを示す平面図、（ｂ）はその底面図、（ｃ）はそのＡ−Ａ断面図である。
【図６】本発明の手摺用ブラケットで使用することができる、手摺用ブラケットの取付座の他の例を示す概略図である。
【図７】エンドブラケットを用いて手摺を壁面に取り付けた状態を示す平面図である。
【図８】（ａ）は図８で示した一方のエンドブラケットを示す断面図、（ｂ）はその底面図であるり、（ｃ）は他方のエンドブラケットを示す底面図である。
【図９】本発明における他のエンドブラケットの取付座を示す概略図である。
【符号の説明】
【００７０】
８  壁紙（表面化粧シート）
９  第２のネジ（固定ネジ）
１０  取付孔
１１  手摺用ブラケット
１２ａ，１２ｂ  係合部
１３  取付座
１４  アーム部
１５  手摺取付部
１７ａ，１７ｂ  第１のネジ
１８  壁面（手摺取付面）
２９  手摺
【図１】
2005325626.tif 000003
【図２】
2005325626.tif 000004
【図３】
2005325626.tif 000005
【図４】
2005325626.tif 000006
【図５】
2005325626.tif 000007
【図６】
2005325626.tif 000008
【図７】
2005325626.tif 000009
【図８】
2005325626.tif 000010
【図９】
2005325626.tif 000011